(57)【要約】【課題】塗着剤のジ用原反への転移量を増大させることによって、より強固な塗着を得ることのできる、厚さ８〜１０μｍの塗着剤層が形成でき、しかも低コストで、かつ環境汚染を招くことなく、塗着剤塗工体を作製することのできる塗着剤塗工版、この塗着剤塗工版を用いた原反への塗着剤の塗工方法およびこの塗着剤の塗工方法により塗着剤が塗工された原反から形成された塗着剤塗工体を提供すること。【解決手段】（１）基板に、直径が０．２５〜１．００ｍｍの網点、線幅が０．２〜０．４ｍｍの方眼または線幅が０．２〜０．４ｍｍの万線である表面形態を有する凹凸形状の塗工面が形成されて成ることを特徴とする塗着剤塗工版。（２）前記（１）の塗着剤塗工版に、塗着剤を塗布し、次いで、前記塗着剤が塗布された塗着剤塗工版と塗着剤が塗工される原反とを押圧することによって、前記塗着剤を前記原反に転移させることを特徴とする塗着剤の塗工方法。（３）前記（２）の塗着剤の塗工方法により塗着剤が塗工された原反から形成されて成ることを特徴とする塗着剤塗工体。【選択図】図４
2005238189.tif 000002
【特許請求の範囲】
【請求項１】
基板に、直径が０．２５〜１．００ｍｍの網点、線幅が０．２〜０．４ｍｍの方眼または線幅が０．２〜０．４ｍｍの万線である表面形態を有する凹凸形状の塗工面が形成されて成ることを特徴とすると塗着剤塗工版。
【請求項２】
前記凹凸形状における凸部の表面積が、全表面積に対し、２０〜５０％である請求項１に記載の塗着剤塗工版。
【請求項３】
請求項１または２に記載の塗着剤塗工版に塗着剤を塗布し、次いで、前記塗着剤が塗布された塗着剤塗工版と塗着剤が塗工される原反とを押圧することによって、前記塗着剤を前記原反に転移させることを特徴とする塗着剤の塗工方法。
【請求項４】
前記原反が、紙、樹脂フィルムもしくは樹脂シートまたは紙と樹脂フィルムもしくは樹脂シートとの積層体である請求項３に記載の塗着剤の塗工方法。
【請求項５】
請求項３または４に記載の塗着剤の塗工方法により塗着剤が塗工された原反から形成されて成ることを特徴とする塗着剤塗工体。
【発明の詳細な説明】
【技術分野】
【０００１】
この発明は、塗着剤塗工版、塗着剤の塗工方法および塗着剤塗工体に関し、さらに詳しくは、塗着剤の原反への転移量を増大させることのできる塗着剤塗工版、この塗着剤塗工版を用いた原反への塗着剤の塗工方法およびこの塗着剤の塗工方法により塗着剤が塗工された原反から形成されて成る塗着剤塗工体に関する。
【背景技術】
【０００２】
各種の印刷物には、その形状が平面的であれ、立体的であるとしても、文字、図形、記号、図形または色彩等の表示がなされ、これら表示のために、インキ、ペイント、塗料等の塗着剤が用いられる。また、前記印刷物が立体的形状であるときは、展開状態の原紙を接着することによって組み立て作製され、このときの接着に用いられる接着剤も、前記インキ、ペイント、塗料等とならび称される塗着剤である。
【０００３】
前記印刷物のうち、菓子等の食品、玩具、機械器具、電気電子機器または機械器具もしくは電気電子機器の部品等の商品を収納して店頭等に陳列または展示して用いられるパッケージは、包装体として用いる場合と、前記商品を収納することなく、商品の紹介、広告宣伝のために、店頭等に陳列または展示して、ディスプレイとして用いる場合とがある。
【０００４】
このようなパッケージは、紙、樹脂シートもしくは樹脂フィルムまたは紙と樹脂シートもしくは樹脂フィルムとの積層体（この発明においては、これらを総称して、「原紙」という。）を用いて作製される。
【０００５】
前記パッケージには、その表面に通常、収納品の種別、商標、広告宣伝用の文字または図形等の表示が印刷される。この印刷に当っては、前記インキ、ペイント、塗料等の塗着剤が用いられる。パッケージは、まず、前記表示が多数繰り返し印刷されたシート状の原紙（この発明においては、このシート状の原紙を「原反」という。）を用意し、この原反を個別的に型抜きし、折り曲げ線を切り込むことによって、展開状態のパッケージ用原紙が作製され、次いで、この展開状態のパッケージ用原紙を折り曲げて接着することによって組み立てて、作製される。
【０００６】
前記接着が、熱圧着用接着剤を用いて行われる場合には、印刷する前の原反の全面に熱圧着用接着剤を塗布した後、印刷、型抜き、折り曲げ線の切り込みおよび組み立ての工程を経て、パッケージが作製される場合と、印刷した後に原反に部分的に熱圧着用接着剤を塗布した後、型抜き、折り曲げ線の切り込みおよび組み立ての工程を経て、パッケージが作製される場合とがある。また、前記展開状態のパッケージ用原紙に熱圧着用接着剤を塗布し、熱圧着して接着することによって組み立てて、作製されることもある。
【０００７】
このようなパッケージの作製に当って用いられる、インキ、ペイント、塗料、接着剤等の塗着剤を、塗布位置の優れた位置精度で、かつ高速（４０００〜１００００枚／時間）で塗工する塗着剤塗工版は、従来は平面状であった。このため、塗着剤塗工版と原反との間の圧力により、原反への塗着剤の転移量が制限されるという問題があった。特に、熱圧着用接着剤を用いて形成される接着剤層の厚さは、通常、１０〜３０μｍであることを必要とされる。しかしながら、塗着剤塗工版の塗工面が平面板状であると、塗着剤塗工版工用版と原反との間の圧力による原反への接着剤の転移量が大きく制限され、厚くとも３〜４μｍ程度の接着剤層の形成にとどまるという問題があった。
【０００８】
また、印刷前の原反に接着剤を塗工する方法として、エクストルージョンラミネート法が知られている。しかしながら、この方法によると、原反全面に接着剤が塗工され、接着すべき部位以外の部位にも接着剤が塗工されるという不都合が生じていた。
【０００９】
このように、所望する部位以外の部位に接着剤が塗工されるということは、接着剤の無為な消費となり、パッケージの製造コストの高騰を招くばかりでなく、パッケージ用原反の型抜き工程によって生じる廃棄すべき原反片に塗布されている接着剤が、環境汚染の原因ともなる虞があった。
【００１０】
ところで、これまでに、前記収納品の種別、商標、広告宣伝用の文字または図形等の表示を印刷するオフセット印刷において用いられる、樹脂等の基材に凹凸形状が形成されたロールコーター版が知られている。このロールコーター版は、その凸部表面が、線密度１７５〜４００線／インチ、網点面積率１５〜５０％の範囲の凸状網点から成っている点に特徴がある（特許文献１参照）。
【特許文献１】特開２００３−１９４５２号公報（請求項１）
【００１１】
前記ロールコーター版は、平滑なインキ層を形成すると共にブロッキング現象（インキの粘着性に起因して、印刷物が相互に接着する現象）を生じることのない部分インキ層を形成することを企図した凸版である。オフセット印刷は、この凹凸形状が形成された凸版の凸部に、インラインロールコーターまたはオフラインコーターでインキを塗布し、この塗布されたインキをオフセット印刷機によって紙等に転移させて行われる。前記ロールコーター版を用いて形成されるインキ層の厚さは、５μｍ程度である。しかしながら、より強固で、かつ鮮明な表示を達成するためには、５μｍ以上の厚さのインキ層を形成する必要があった。
【発明の開示】
【発明が解決しようとする課題】
【００１２】
この発明は、従来の塗着剤の塗工法における問題を解消し、塗着剤の原反への転移量を増大させることによって、より強固な塗着を得ることのできる、厚さ８〜１０μｍの塗着剤層が形成でき、しかも低コストで、かつ環境汚染を招くことなく、塗着剤塗工体を作製することのできる塗着剤塗工版、この塗着剤塗工版を用いた原反への塗着剤の塗工方法およびこの塗着剤の塗工方法により塗着剤が塗工された原反から形成されて成る塗着剤塗工体を提供することをその課題とする。
【課題を解決するための手段】
【００１３】
本発明者は、前記課題を解決するために、凹凸形状の塗工面が形成されて成る塗着剤塗工版のその凹凸形状の表面形態について検討を重ねた結果、特定の網点、方眼または万線形態とすることによって、前記課題が解決できるということを見出し、この知見に基づいてこの発明を完成するに到った。
【００１４】
すなわち、この発明の前記課題を解決するための第１の手段は、
(１)基板に、直径が０．２５〜１．００ｍｍの網点、線幅が０．２〜０．４ｍｍの方眼または線幅が０．２〜０．４ｍｍの万線である表面形態を有する凹凸形状の塗工面が形成されて成ることを特徴とすると塗着剤塗工版
である。
【００１５】
前記第１の手段における好ましい態様としては、
前記凹凸形状における凸部の表面積が、全表面積に対し、２０〜５０％である塗着剤塗工版
を挙げることができる。
【００１６】
この発明の前記課題を解決するための第２の手段は、
(２)前記(１)の塗着剤塗工版に塗着剤を塗布し、次いで、前記塗着剤が塗布された塗着剤塗工版と塗着剤が塗工される原反とを押圧することによって、前記塗着剤を前記原反に転移させることを特徴とする塗着剤の塗工方法
である。
【００１７】
前記第２の手段における好ましい態様としては、
前記原反が、紙、樹脂フィルムもしくは樹脂シートまたは紙と樹脂フィルムもしくは樹脂シートとの積層体である塗着剤の塗工方法
を挙げることができる。
【００１８】
また、この発明の前記課題を解決するための第３の手段は、
(３)前記(２)の塗着剤の塗工方法により塗着剤が塗工された原反から形成されて成ることを特徴とする塗着剤塗工体
である。
【発明の効果】
【００１９】
この発明の塗着剤塗工版は、基板に、直径が０．２５〜１．００ｍｍの網点、線幅が０．２〜０．４ｍｍの方眼または線幅が０．２〜０．４ｍｍの万線である表面形態を有する凹凸形状の塗工面が形成されていることから、塗着剤の原反への転移量を増大させることができ、厚さ８〜１０μｍの塗着剤層を短時間で形成することができると共に、より強固な塗着を達成することができる。
【００２０】
また、この発明の塗着剤塗工版を用いて原反に塗着剤を塗工すると、所望する部位のみに集中的に塗着剤が塗工されることから、塗着剤の無為な消費が回避され、しかも、原反の型抜き工程によっても、塗着剤が塗布された原反片を生じることがない。このため、低コストで、かつ環境汚染を招くことなく、塗着剤塗工体を作製することのできる。
【発明を実施するための最良の形態】
【００２１】
(１)この発明の塗着剤塗工版は、基板に、直径が０．２５〜１．００ｍｍの網点、線幅が０．２〜０．４ｍｍの方眼または線幅が０．２〜０．４ｍｍの万線である表面形態を有する凹凸形状の塗工面が形成されて成る版である。
【００２２】
この発明の塗着剤塗工版を、図１および図２に基づいて説明する。
図１は、この発明の塗着剤塗工版の断面図である。この発明の塗着剤塗工版１は、基板２に凹凸形状の塗工面３が形成されて成っている。
【００２３】
前記基板２の材料に特に制限はなく、樹脂、ゴム、木、金属、セラミックス等を挙げることができるが、樹脂、ゴム等の可撓性材料が好ましい。樹脂としては、ポリエチレン、ポリプロピレン、ポリスチレン、ポリアミド、ポリアセタール、ポリカーボネート等の熱可塑性樹脂、フェノール樹脂、ユリア樹脂、メラミン樹脂、エポキシ樹脂、ウレタン樹脂等の熱硬化性樹脂を挙げることができる。また、ゴムとしては、ポリブタジエン、スチレン−ブタジエンコポリマー、ポリクロロプレン、ブタジエン−アクリロニトリルコポリマー、イソブチレン−イウソプレンコポリマー、エチレン−プロピレンコポリマー等を挙げることができる。
【００２４】
このような材料の基板２の厚さ(ｔ１)に制限はないが、通常、０．８〜１．５ｍｍ、好ましくは、１．０〜１．２ｍｍである。この発明の塗着剤塗工版は、前記基板２に凹凸形状の塗工面３が形成されている。この凹凸形状の塗工面３における凹部の深さ(ｔ２)にも制限はないが、通常、０．１〜０．８ｍｍ、好ましくは、０．３〜０．８ｍｍである。
【００２５】
この発明の塗着剤塗工版は、図２に示すように、直径(ｔ３)が０．２５〜１．００ｍｍの網点〔図２(ａ)参照〕、線幅(ｔ４)が０．２〜０．４ｍｍの方眼〔図２(ｂ)参照〕または線幅(ｔ５)が０．２〜０．４ｍｍの万線〔図２(ｃ)参照〕である表面形態を有する凹凸形状の塗工面３が形成されている。また、この発明の塗着剤塗工版においては、前記凹凸形状における凸部の表面積が、全表面積に対し、２０〜５０％であることが好ましい。
【００２６】
前記網点の直径(ｔ３)が０．２５ｍｍ未満または前記前記方眼の線幅(ｔ４)および前記万線の線幅(ｔ５)それぞれが０．２ｍｍ未満であると、前記凸部の表面積が小さくなり、凸部から押し出され、マージナルゾーンを形成する塗着剤の量が少なくなる。その結果、原反に塗工される塗着剤層が企図する厚さとならない。一方、前記網点の直径(ｔ３)が
１．００ｍｍを越えるとき、または前記方眼の線幅(ｔ４)および前記万線の線幅(ｔ５)それぞれが０．４ｍｍを越えるときは、前記凹部の表面積が小さくなり、凸部から押し出された塗着剤を収納する空間が不足する。その結果、原反に塗工される塗着剤層が企図する厚さとならない。
【００２７】
前記基板に、前記網点、方眼または万線を形成して、この発明の塗着剤塗工版を作製する方法としては、例えば、基板上のネガタイプの感光性樹脂層面に、その画像部中の網点、方眼または万線となるネガフィルムを載せ、そのネガフィルム面から紫外線により露光して、基板上に露光部（硬化部分）と未露光部（未硬化部分）とを形成し、この上面からアルカリ水溶液等の現像液を噴射することによって、前記未露光部を溶出させ、基板に網点、方眼または万線を形成する方法を挙げることができる。
【００２８】
また、ダイヤモンド針またはＹＡＧレーザーにより、前記基板に網点、方眼または万線を刻設する方法を挙げることもできる。
【００２９】
このように、この発明の塗着剤塗工版は、基板に、直径が０．２５〜１．００ｍｍの網点、線幅が０．２〜０．４ｍｍの方眼または線幅が０．２〜０．４ｍｍの万線である表面形態を有する凹凸形状の塗工面が形成されていることから、塗着剤の原反への転移量を増大させることができ、８〜１０μｍ厚さの塗着剤層を形成することができる。
【００３０】
(２)この発明の塗着剤の塗工方法は、前記(１)の塗着剤塗工版に、塗着剤を塗布し、次いで、前記塗着剤が塗布された塗着剤塗工版と塗着される原反とを押圧することによって、前記塗着剤を前記原反に転移させる方法である。
【００３１】
この発明の塗着剤の塗工方法において用いられる塗着剤に特に制限はなく、インキ、ペイント、塗料または接着剤等を挙げることができる。前記インキとしては、油性インキまた水性インキ等の印刷用インキを挙げることができ、その色相も任意である。前記ペイントとしては、油性ペイント、水性ペイントまたはエナメルペイント等を挙げることができ、その色相も任意である。
【００３２】
また、前記塗料としては、天然樹脂系塗料、セロロース誘導体系塗料、塩化ビニル樹脂系塗料、酢酸ビニル樹脂系塗料、アクリル酸樹脂系塗料、フェノール樹脂系塗料、ユリア樹脂系塗料、メラミン樹脂系塗料、不飽和ポリエステルフェノール樹脂系塗料等を挙げることができ、その色相もまた、任意である。
【００３３】
さらに、この発明の塗着剤の塗工方法において用いられる塗着剤としては、接着剤を挙げることができる。この接着剤にも特に制限はなく、ポリ酢酸ビニル、ポリアクリル酸エステル、ポリアミド等の熱可塑性接着剤、エチレン−酢酸ビニル共重合体系、ポリアミド系、ポリエステル系等のホットメルト接着剤、クロロプレンゴム、ニトリルゴム、スチレン−ブタジエンゴム、天然ゴム、ブチルゴム等のゴム系接着剤、ユリア系、メラミン系、フェノール系、エポキシ系、ウレタン系等の熱硬化性接着剤等を挙げることができる。これら接着剤の中でも、ホットメルト接着剤が好ましい。
【００３４】
この発明の塗着剤の塗工方法において用いられる原反としては、紙、樹脂フィルムもしくは樹脂シートまたは紙と樹脂フィルムもしくは樹脂シートとの積層体等を挙げることができる。
【００３５】
前記樹脂フィルムもしくは樹脂シートとしては、ポリエチレン、ポリプロピレン、ポリスチレン、ポリビニルアルコール、ポリアミド、セルロースアセテート、ポリエステル等から成形されたフィルムもしくはシートを挙げることができる。これら樹脂フィルムもしくは樹脂シートは、無延伸フィルムもしくはシートであってもよく、延伸フィルムもしくはシートであってもよい。また、異なる樹脂から成形されたフィルムもしくはシートを積層した積層フィルムもしくはシートであってもよい。前記積層フィルムもしくはシートまたは紙と樹脂フィルムもしくは樹脂シートとの積層体は、常用の積層成形法により、製造することができる。
【００３６】
前記原反の厚さに特に制限はないが、通常は、０．１〜１．０ｍｍ、好ましくは、０．２〜０．６ｍｍである。
【００３７】
この発明の塗着剤の塗工方法を、図３および図４に基づいて説明する。
まず、前記(１)の凹凸形状の塗工面３が形成されて塗着剤塗工版１に、前記塗着剤４を塗布する。図３は、塗着剤４が塗布された塗着剤塗工版１を示す図である。
【００３８】
塗着剤４を塗布する方法としては、例えば、塗着剤塗工版１に塗着剤４(必要により、塗着剤を溶媒に溶解して調製された塗着剤溶液を用いることができる。以下、同じ。)を吹き付けるスプレー法、塗着剤４中に塗着剤塗工版１浸漬し、これをゆっくりと引き上げるディップ法、固定された塗着剤塗工版１に塗着剤４を流延する流延法、回転する塗着剤塗工版１に塗着剤４を滴下し、遠心力によって塗着剤４を塗着剤塗工版１に流延するスピンナー法およびフローコート法等を挙げることができる。
【００３９】
また、前記塗着剤塗工版版１は、を版胴に巻着して使用することができ、このときは、塗着剤４をパンに収容し、このパン中の塗着剤４に回転するローラーを浸し、このローラーによって塗着剤４を搬送して、塗着剤４を塗着剤塗工版１に塗布する方法を挙げることもできる。
【００４０】
次いで、このようにして塗着剤４が塗布された塗着剤塗工版１と原反５とを押圧する。塗着剤４が塗布された塗着剤塗工版１と原反５とを押圧することによって、図４に示すように、塗着剤４は原反５に転移し、原反５には、塗着剤塗工版１に形成された凹凸形状の塗工面３の凹部に対応した凸状の塗着剤層６が形成される。
【００４１】
このとき、塗着剤４のごく一部は、塗着剤塗工版１に残存する。７はその残存塗着剤である。また、原反５に形成される凸状の塗着剤層６は、図４に示すように、平坦な薄層状の塗着剤に連なって形成されている。
【００４２】
図５に基づき、この発明の塗着剤の塗工方法により、原反５に塗着剤が塗工される態様を、模式的に説明する。
まず、図５(ａ)に示す塗着剤塗工版１に、図５(ｂ)に示すように塗着剤４が塗布される。次いで、この塗着剤４が塗布された塗着剤塗工版１の塗工面と原反５とを図５(ｃ)に示すように相互に重ね合わせる。続いて、図５(ｄ)に示すように塗着剤塗工版１と原反５とを押圧すると、塗着剤４は図５(ｄ)に示すような形態となり、最終的には、図５(ｅ)に示すように原反５に塗着剤層６が形成される。塗着剤塗工版１には、残存塗着剤７として塗着剤４の一部が残存する。
【００４３】
この発明の塗着剤の塗工方法により原反に塗着剤を塗工すると、所望する部位のみに集中的に塗着剤が塗工されることから、塗着剤の無為な消費が回避され、しかも、原反の型抜き工程によっても、塗着剤が塗布された原反片を生じることがない。このため、低コストで、かつ環境汚染を招くことなく、塗着剤塗工体を製造することのできる。
【００４４】
この発明の塗着剤塗工版を用い、この発明の塗着剤の塗工方法によって、原反に塗着剤を塗工する一態様を、図６に基づいて説明する。
塗着剤塗工版１は、版胴８に巻着されていて、圧胴９の回転に伴って、塗着剤塗工版１が巻着された版胴８は回転するようになっている。塗着剤４は、塗着剤パン１０に収容されていて、ローラー１１の回転によって塗着剤４は搬送され、版胴８に巻着されている塗着剤塗工版１に塗布される。塗着剤塗工版１に塗布された塗着剤４は、塗着剤塗工版１が巻着された版胴８と圧胴９との間を走行する原反５に転移する。このようにして、原反５に塗着剤層が形成される。
【００４５】
この発明の塗着剤塗工版を用い、この発明の塗着剤の塗工方法によって、原反に塗着剤を塗工する態様は、前記態様に限定されることはなく、巻着して使用されることのない、比較的短い板状の塗着剤塗工版を用い、この板状の塗着剤塗工版に対応した原反に塗着剤層を形成してもよい。
【００４６】
(３)この発明の塗着剤塗工体は、前記(２)の塗着剤の塗工方法により塗着剤が塗工された原反から形成されて成る塗工体である。
【００４７】
この発明の塗着剤塗工体には、その形状が平面的な塗工体と立体的な塗工体とを含み、前記平面的な塗工体には、展開原紙を含む。また、前記立体的な塗工体には、前記展開原紙を組み立てて成る塗工体である。前記展開原紙を、図７に基づいて説明する。
【００４８】
前記展開原紙１２は、前記(２)の塗着剤の塗工方法により、塗着剤が塗工された原反を個別的に型抜き、折り曲げ線１３を切り込むことによって作製することができる。展開原紙１２の表面には、商標、広告宣伝用の文字または図形等の表示が印刷されていてもよい。前記型抜きは、打ち抜き機と所定形状に合わせた抜き型とによって行われる。また、前記折り曲げ線１３は、通常、前記抜き型に備えられた筋刃によって、型抜きと同時に形成される。
【００４９】
前記展開原紙１２を組み立てて成る塗着剤塗工体は、図７に示す展開原紙１２における塗着剤（接着剤）が塗工された部位を、例えば、熱圧着して接着することによって組み立てて、作製することができる。
【００５０】
前記展開原紙１２には、接着すべき部位のみに短時間で強固な接着を得るに足る接着剤層が形成されていることから、パッケージ用展開原紙１２の裏面相互および表面と裏面とを張り合わせて接着したとき、展開原紙１２の反力（原紙が外方に向かって反る力）によって剥離することがない。
【実施例】
【００５１】
以下、実施例を挙げてこの発明をさらに具体的に説明するが、これら実施例によって、この発明はなんら限定されることはない。
（実施例１）
【００５２】
〔塗着剤塗工版の作製〕
基板２として、厚さ(ｔ１)１．１ｍｍ、幅８１０ｍｍ、長さ６４６ｍのデュポン社製サイレルフォトポリープレートを用い、この基板２にネガフィルムを密着させ、紫外線露光によって部分的に硬化させ、未露光の未硬化部分を洗い流すことによって、直径(ｔ３)が０．４５ｍｍの網点の網点である表面形態を有する凹部の深さ(ｔ２)が０．２５ｍｍの凹凸形状の塗工面３を形成して、図１および図２(ａ)に示す４０線／インチの網点による塗着剤塗工版を作製した。
（実施例２）
【００５３】
〔原反への塗着剤の塗工〕
実施例１で作製した塗着剤塗工版を、図６に示すように、版胴８に巻着した。塗着剤パン１０には、塗着剤４として、アクリル系エマルジョン接着剤を収容した。原反５としては、厚さ０．３３ｍｍ、幅６７５ｍｍ、長さ５８０ｍのパッケージ用紙を用いた。ローラー１１の回転により、塗着剤４を塗着剤塗工版に搬送して塗布し、圧胴９を６０００ｒｐｍで回転させながら、版胴８と圧胴９との間を走行するパッケージ用原反５に塗着剤４を塗工した。
（実施例３）
【００５４】
〔塗着剤塗工体の作製〕
実施例２で作製した塗着剤が塗工された原反５を、打ち抜き機を用いて、折り曲げ線１３の筋入れと同時に打ち抜き、図７に示すパッケージ用の展開原紙１２を作製した。このパッケージ用の展開原紙１２の塗着剤が塗工された部位相互を、２２０℃、５ｋｇ／ｃｍ２の圧力で熱圧着して接着することによって組み立てて、インキカートリッジ収納用の塗剤塗工体（パッケージ）を作製した。短時間（約５秒間）で接着され、経時的に剥離を生じることのない強固な接着が得られた。
【図面の簡単な説明】
【００５５】
【図１】この発明の塗着剤塗工版の断面図である。
【図２】この発明の塗着剤塗工版の表面形態を示す図である。
【図３】塗着剤が塗布された塗着剤塗工版を示す図である。
【図４】塗着剤が塗着剤塗工版から原反へ転移した状態を示す図である。
【図５】原反に塗着剤が塗工される態様を模式的に示す図である。
【図６】原反に塗着剤を塗工する一態様を示す図である。
【図７】展開原紙を示す図である。
【符号の説明】
【００５６】
１    塗着剤塗工版
２    基板
３    凹凸形状の塗工面
４    塗着剤
５    原反
６    塗着剤層
７    残存塗着剤
８    版胴
９    圧胴
１０    塗着剤パン
１１    ローラー
１２    展開原紙
１３    折り曲げ線
【図１】
2005238189.tif 000003
【図２】
2005238189.tif 000004
【図３】
2005238189.tif 000005
【図４】
2005238189.tif 000006
【図５】
2005238189.tif 000007
【図６】
2005238189.tif 000008
【図７】
2005238189.tif 000009